【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、
ある基準となる識別子について関連対象とされた複数の識別子の中で、関連度に係る所定の条件に合致する識別子が複数存在する場合に、前記設定された値を用いて、それらの識別子を順位付けする情報選択部と、
を備えることを特徴とする情報選択装置。
【請求項２】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、
ある基準となる識別子について関連対象とされた複数の識別子の中から、関連度に係る所定の条件に合致する識別子を複数選択し、前記設定された値を少なくとも用いて、その選択された識別子を順位付けする情報選択部と、
を備えることを特徴とする情報選択装置。
【請求項３】
前記情報選択部は、順位付け対象となる複数の識別子それぞれについて、前記設定された値を少なくとも用いて指標を定め、その定められた指標に基づいて、識別子を順位付けするとともに、２つの識別子の関連度が同じ場合に、前記設定された値が大きい方の識別子に対応する指標は、もう一方の識別子に対応する指標よりも大きな値となることを特徴とする請求項１又は請求項２に記載の情報選択装置。
【請求項４】
前記情報選択部は、順位付け対象となる複数の識別子それぞれについて、前記関連度と前記設定された値とを用いて指標を定めることを特徴とする請求項３に記載の情報選択装置。
【請求項５】
前記情報選択部は、順位付け対象となる複数の識別子それぞれについて、前記関連度と前記設定された値との乗算値、または、前記関連度と前記設定された値との重み付き加算値を用いて指標を算出することを特徴とする請求項４に記載の情報選択装置。
【請求項６】
前記情報選択部は、前記関連度に係る所定の条件として、前記関連度が所定のしきい値以上である条件を用いることを特徴とする請求項１〜請求項５のいずれか１項に記載の情報選択装置。
【請求項７】
前記情報選択部は、所定のカテゴリに対応する識別子を前記順位付けの対象にしないことを特徴とする請求項１〜請求項６のいずれか１項に記載の情報選択装置。
【請求項８】
前記情報選択部は、一のユーザが過去に利用したアイテムに係る情報に基づいて、前記関連度に係る所定の条件を設定し、一のユーザに対して、識別子を順位付けすることを特徴とする請求項１〜請求項７のいずれか１項に記載の情報選択装置。
【請求項９】
一のユーザにより設定された、前記設定値データに係る条件を示すデータを端末装置から受信する受信部をさらに備え、
前記情報選択部は、前記受信したデータに基づいて、前記関連度に係る所定の条件を設定し、一のユーザに対して、識別子を順位付けすることを特徴とする請求項１〜請求項８のいずれか１項に記載の情報選択装置。
【請求項１０】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、
前記データ取得部で取得された設定値データおよび関連度データに基づいて、ある基準となる識別子について関連対象とされた複数の識別子の中で、関連度に係る所定の条件に合致する識別子が複数存在する場合に、前記設定された値を用いて、それらの識別子を順位付けし、前記順位付けされた識別子それぞれに係る情報を、その順位に従って表示装置に表示させる表示制御部と、
を備えることを特徴とする端末装置。
【請求項１１】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、
前記データ取得部で取得された設定値データおよび関連度データに基づいて、ある基準となる識別子について関連対象とされた複数の識別子の中から、関連度に係る所定の条件に含まれる識別子を複数選択し、前記設定された値を少なくとも用いて、その選択された識別子を順位付けし、前記順位付けされた識別子それぞれに係る情報を、その順位に従って表示装置に表示させる表示制御部と、
を備えることを特徴とする端末装置。
【請求項１２】
請求項９に記載の情報選択装置とネットワークを介して接続可能な端末装置であり、
一のユーザにより設定された、前記設定値データに係る条件を示すデータであり、前記情報選択装置に前記関連度に係る所定の条件を設定させるデータを送信する送信部と、
前記情報選択装置から、順位付けされた識別子それぞれに係る情報と、その順位とを受信する受信部と、
前記受信した順位に従って、前記順位付けされた識別子それぞれに係る情報を表示装置に表示させる表示制御部と、
を備えることを特徴とする端末装置。
【請求項１３】
コンピュータにおいて実行される情報選択方法であって、
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
ある基準となる識別子について関連対象とされた複数の識別子の中で、関連度に係る所定の条件に合致する識別子が複数存在する場合に、前記設定された値を用いて、それらの識別子を順位付けする情報選択ステップと、
を含むことを特徴とする情報選択方法。
【請求項１４】
コンピュータにおいて実行される情報選択方法であって、
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
ある基準となる識別子について関連対象とされた複数の識別子の中から、関連度に係る所定の条件に合致する識別子を複数選択し、前記設定された値を少なくとも用いて、その選択された識別子を順位付けする情報選択ステップと、
を含むことを特徴とする情報選択方法。
【請求項１５】
コンピュータにおいて実行される情報選択方法であって、
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
前記データ取得ステップで取得された設定値データおよび関連度データに基づいて、ある基準となる識別子について関連対象とされた複数の識別子の中で、関連度に係る所定の条件に合致する識別子が複数存在する場合に、前記設定された値を用いて、それらの識別子を順位付けし、前記順位付けされた識別子それぞれに係る情報を、その順位に従って表示装置に表示させる表示制御ステップと、
を含むことを特徴とする情報選択方法。
【請求項１６】
コンピュータにおいて実行される情報選択方法であって、
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
前記データ取得ステップで取得された設定値データおよび関連度データに基づいて、ある基準となる識別子について関連対象とされた複数の識別子の中から、関連度に係る所定の条件に含まれる識別子を複数選択し、前記設定された値を少なくとも用いて、その選択された識別子を順位付けし、前記順位付けされた識別子それぞれに係る情報を、その順位に従って表示装置に表示させる表示制御ステップと、
を含むことを特徴とする情報選択方法。
【請求項１７】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
ある基準となる識別子について関連対象とされた複数の識別子の中で、関連度に係る所定の条件に合致する識別子が複数存在する場合に、前記設定された値を用いて、それらの識別子を順位付けする情報選択ステップと、
をコンピュータに実行させることを特徴とする情報選択プログラム。
【請求項１８】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
ある基準となる識別子について関連対象とされた複数の識別子の中から、関連度に係る所定の条件に合致する識別子を複数選択し、前記設定された値を少なくとも用いて、その選択された識別子を順位付けする情報選択ステップと、
をコンピュータに実行させることを特徴とする情報選択プログラム。
【請求項１９】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
前記データ取得ステップで取得された設定値データおよび関連度データに基づいて、ある基準となる識別子について関連対象とされた複数の識別子の中で、関連度に係る所定の条件に合致する識別子が複数存在する場合に、前記設定された値を用いて、それらの識別子を順位付けし、前記順位付けされた識別子それぞれに係る情報を、その順位に従って表示装置に表示させる表示制御ステップと、
をコンピュータに実行させることを特徴とする情報選択プログラム。
【請求項２０】
アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、
前記データ取得ステップで取得された設定値データおよび関連度データに基づいて、ある基準となる識別子について関連対象とされた複数の識別子の中から、関連度に係る所定の条件に含まれる識別子を複数選択し、前記設定された値を少なくとも用いて、その選択された識別子を順位付けし、前記順位付けされた識別子それぞれに係る情報を、その順位に従って表示装置に表示させる表示制御ステップと、
をコンピュータに実行させることを特徴とする情報選択プログラム。
【手続補正２】
【補正対象書類名】明細書
【補正対象項目名】０００８
【補正方法】変更
【補正の内容】
【０００８】
情報選択装置は、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、ある基準となる識別子について関連対象とされた複数の識別子の中で、関連度に係る所定の条件に合致する識別子が複数存在する場合に、前記設定された値を用いて、それらの識別子を順位付けする情報選択部とを備えることを特徴とする。
情報選択装置は、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、ある基準となる識別子について関連対象とされた複数の識別子の中から、関連度に係る所定の条件に合致する識別子を複数選択し、前記設定された値を少なくとも用いて、その選択された識別子を順位付けする情報選択部とを備えることを特徴とする。
端末装置は、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、前記データ取得部で取得された設定値データおよび関連度データに基づいて、ある基準となる識別子について関連対象とされた複数の識別子の中で、関連度に係る所定の条件に合致する識別子が複数存在する場合に、前記設定された値を用いて、それらの識別子を順位付けし、前記順位付けされた識別子それぞれに係る情報を、その順位に従って表示装置に表示させる表示制御部とを備えることを特徴とする。
端末装置は、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得部と、前記データ取得部で取得された設定値データおよび関連度データに基づいて、ある基準となる識別子について関連対象とされた複数の識別子の中から、関連度に係る所定の条件に含まれる識別子を複数選択し、前記設定された値を少なくとも用いて、その選択された識別子を順位付けし、前記順位付けされた識別子それぞれに係る情報を、その順位に従って表示装置に表示させる表示制御部とを備えることを特徴とする。
情報選択方法は、コンピュータにおいて実行される情報選択方法であって、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、ある基準となる識別子について関連対象とされた複数の識別子の中で、関連度に係る所定の条件に合致する識別子が複数存在する場合に、前記設定された値を用いて、それらの識別子を順位付けする情報選択ステップとを含むことを特徴とする。
情報選択方法は、コンピュータにおいて実行される情報選択方法であって、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、ある基準となる識別子について関連対象とされた複数の識別子の中から、関連度に係る所定の条件に合致する識別子を複数選択し、前記設定された値を少なくとも用いて、その選択された識別子を順位付けする情報選択ステップとを含むことを特徴とする。
情報選択方法は、コンピュータにおいて実行される情報選択方法であって、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、前記データ取得ステップで取得された設定値データおよび関連度データに基づいて、ある基準となる識別子について関連対象とされた複数の識別子の中で、関連度に係る所定の条件に合致する識別子が複数存在する場合に、前記設定された値を用いて、それらの識別子を順位付けし、前記順位付けされた識別子それぞれに係る情報を、その順位に従って表示装置に表示させる表示制御ステップとを含むことを特徴とする。
情報選択方法は、コンピュータにおいて実行される情報選択方法であって、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、前記データ取得ステップで取得された設定値データおよび関連度データに基づいて、ある基準となる識別子について関連対象とされた複数の識別子の中から、関連度に係る所定の条件に含まれる識別子を複数選択し、前記設定された値を少なくとも用いて、その選択された識別子を順位付けし、前記順位付けされた識別子それぞれに係る情報を、その順位に従って表示装置に表示させる表示制御ステップとを含むことを特徴とする。
情報選択プログラムは、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、ある基準となる識別子について関連対象とされた複数の識別子の中で、関連度に係る所定の条件に合致する識別子が複数存在する場合に、前記設定された値を用いて、それらの識別子を順位付けする情報選択ステップとをコンピュータに実行させることを特徴とする。
情報選択プログラムは、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、ある基準となる識別子について関連対象とされた複数の識別子の中から、関連度に係る所定の条件に合致する識別子を複数選択し、前記設定された値を少なくとも用いて、その選択された識別子を順位付けする情報選択ステップとをコンピュータに実行させることを特徴とする。
情報選択プログラムは、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、前記データ取得ステップで取得された設定値データおよび関連度データに基づいて、ある基準となる識別子について関連対象とされた複数の識別子の中で、関連度に係る所定の条件に合致する識別子が複数存在する場合に、前記設定された値を用いて、それらの識別子を順位付けし、前記順位付けされた識別子それぞれに係る情報を、その順位に従って表示装置に表示させる表示制御ステップとをコンピュータに実行させることを特徴とする。
情報選択プログラムは、アイテムを識別する識別子と所定のサービスに係るアイテム毎に設定された値とを対応させた設定値データ、および基準となる１つのアイテムの識別子に対して、関連対象となる複数個の他のアイテムの識別子を、関連性の強さを示す関連度とともに記録した関連度データを取得するデータ取得ステップと、前記データ取得ステップで取得された設定値データおよび関連度データに基づいて、ある基準となる識別子について関連対象とされた複数の識別子の中から、関連度に係る所定の条件に含まれる識別子を複数選択し、前記設定された値を少なくとも用いて、その選択された識別子を順位付けし、前記順位付けされた識別子それぞれに係る情報を、その順位に従って表示装置に表示させる表示制御ステップとをコンピュータに実行させることを特徴とする。